(57)【要約】【課題】簡易な構成で誤りに対する耐力を高めることができる光符号化装置を提供する。【解決手段】光符号化装置は、２Ｋ種類（Ｋは１以上の整数）のシンボルにより１つのシンボルでＫビットのデータを搬送する第１変調により変調された第１信号を入力とし、第１信号の１つのシンボルが入力されると、該１つのシンボルと、該１つのシンボルの直前に入力された連続するＮ−１個（Ｎは２以上の整数）のシンボルと、に基づき、第１変調により変調されたＭ個（Ｍは２以上の整数）のシンボルを出力する符号化手段と、符号化手段が出力する第１変調により変調されたＭ個のシンボルの各シンボルの位相及び振幅を制御して合波することで、（２Ｋ×Ｍ）種類のシンボルにより１つのシンボルでＫ×Ｍビットのデータを搬送する第２変調により変調された第２信号を出力する出力手段と、を備えている。【選択図】図２
2015186029.tif 000002
【特許請求の範囲】
【請求項１】
２Ｋ種類（Ｋは１以上の整数）のシンボルにより１つのシンボルでＫビットのデータを搬送する第１変調により変調された第１信号を入力とする光符号化装置であって、
前記第１信号の１つのシンボルが入力されると、該１つのシンボルと、該１つのシンボルの直前に入力された連続するＮ−１個（Ｎは２以上の整数）のシンボルと、に基づき、前記第１変調により変調されたＭ個（Ｍは２以上の整数）のシンボルを出力する符号化手段と、
前記符号化手段が出力する前記第１変調により変調されたＭ個のシンボルの各シンボルの位相及び振幅を制御して合波することで、（２Ｋ×Ｍ）種類のシンボルにより１つのシンボルでＫ×Ｍビットのデータを搬送する第２変調により変調された第２信号を出力する出力手段と、
を備えていることを特徴とする光符号化装置。
【請求項２】
前記符号化手段が前記第１変調により変調された連続するＮ個のシンボルの入力に対して出力する前記第１変調により変調されたＭ×Ｎ個のシンボルのパターンは、第１変調のＭ×Ｎ個のシンボルで取り得る２Ｋ×Ｍ×Ｎ個のパターンの内の２Ｋ×Ｎ個のパターンに制限されていることを特徴とする請求項１に記載の光符号化装置。
【請求項３】
（２Ｋ×Ｍ）（Ｋは１以上の整数、かつ、Ｍは２以上の整数）種類のシンボルにより１つのシンボルでＫ×Ｍビットのデータを搬送する第２変調により変調された第２信号を受信する光復号装置であって、
前記第２信号は、前記第２変調の連続するＮ（Ｎは２以上の整数）個のシンボルで取り得る２Ｋ×Ｍ×Ｎ個のパターンの内の２Ｋ×Ｎ個のパターンに制限されており、
受信する前記第２信号の前記連続するＮ個のシンボルの各シンボルの位相及び振幅を制御して合波することで、２Ｋ×Ｍ×Ｎ種類のシンボルにより１つのシンボルでＫ×Ｍ×Ｎビットのデータを搬送する第３変調により変調された第３信号を生成する生成手段と、
前記第３信号のシンボルが、前記第３変調により取り得る２Ｋ×Ｍ×Ｎ種類のシンボルの内の所定の２Ｋ×Ｎ個のシンボルのいずれであるかを判定する判定手段と、
を備えていることを特徴とする光復号装置。
【請求項４】
前記判定手段が判定する前記第３信号の前記所定２Ｋ×Ｎ個のシンボルは、前記２Ｋ×Ｎ個のパターンに制限された前記第２信号の連続するＮ個のシンボルを前記生成手段が合波したシンボルであることを特徴とする請求項３に記載の光復号装置。
【請求項５】
２Ｋ種類（Ｋは１以上の整数）のシンボルにより１つのシンボルでＫビットのデータを搬送する第１変調により変調された第１信号を入力とする光符号化装置であって、
前記第１信号の１つのシンボルが入力されると、該１つのシンボルと、該１つのシンボルの直前に入力された連続するＮ−１個（Ｎは２以上の整数）のシンボルと、に基づき、前記第１変調により変調されたＭ個（Ｍは２以上の整数）のシンボルを出力する符号化手段と、
前記符号化手段が出力する前記第１変調により変調されたＭ個のシンボルの各シンボルの位相及び振幅を制御して合波することで、（２Ｋ×Ｍ）種類のシンボルにより１つのシンボルでＫ×Ｍビットのデータを搬送する第２変調により変調された第２信号を出力する生成手段と、
前記生成手段が生成する前記第２信号の前記連続するＮ個のシンボルの各シンボルの位相及び振幅を制御して合波することで、２Ｋ×Ｍ×Ｎ種類のシンボルにより１つのシンボルでＫ×Ｍ×Ｎビットのデータを搬送する第３変調により変調された第３信号を出力する出力手段と、
を備えていることを特徴とする光符号化装置。
【請求項６】
前記符号化手段が前記第１変調により変調された連続するＮ個のシンボルの入力に対して出力する前記第１変調により変調されたＭ×Ｎ個のシンボルのパターンは、第１変調のＭ×Ｎ個のシンボルで取り得る２Ｋ×Ｍ×Ｎ個のパターンの内の２Ｋ×Ｎ個のパターンに制限されていることを特徴とする請求項５に記載の光符号化装置。
【請求項７】
２Ｋ×Ｍ×Ｎ（Ｋは１以上の整数、かつ、Ｍは２以上の整数、かつ、Ｎは２以上の整数）種類のシンボルにより１つのシンボルでＫ×Ｍ×Ｎビットのデータを搬送する第３変調により変調された第３信号を受信する光復号装置であって、
前記第３信号において取り得るシンボルは、前記第３変調が取り得る２Ｋ×Ｍ×Ｎ個のシンボルの内の２Ｋ×Ｎ個のシンボルに制限されており、
受信した前記第３信号のシンボルが、前記２Ｋ×Ｎ個のシンボルのいずれであるかを判定する判定手段を備えていることを特徴とする光復号装置。
【請求項８】
２Ｋ種類（Ｋは１以上の整数）のシンボルにより１つのシンボルでＫビットのデータを搬送する第１変調により変調された第１信号を入力とする光符号化装置であって、
前記第１信号の１つのシンボルが入力されると、該１つのシンボルと、該１つのシンボルの直前に入力された連続するＮ−１個（Ｎは２以上の整数）のシンボルと、に基づき、前記第１変調により変調されたＭ個（Ｍは２以上の整数）のシンボルを出力する符号化手段を備えていることを特徴とする光符号化装置。
【請求項９】
前記符号化手段が前記第１変調により変調された連続するＮ個のシンボルの入力に対して出力する前記第１変調により変調されたＭ×Ｎ個のシンボルのパターンは、第１変調のＭ×Ｎ個のシンボルで取り得る２Ｋ×Ｍ×Ｎ個のパターンの内の２Ｋ×Ｎ個のパターンに制限されていることを特徴とする請求項８に記載の光符号化装置。
【請求項１０】
２Ｋ種類（Ｋは１以上の整数）のシンボルにより１つのシンボルでＫビットのデータを搬送する第１変調により変調された第１信号を受信する光復号装置であって、
前記第１信号の連続するＭ×Ｎ個（Ｍは２以上の整数、かつ、Ｎは２以上の整数）のシンボルのパターンは、前記第１変調のＭ×Ｎ個のシンボルで取り得る２Ｋ×Ｍ×Ｎ個のパターンの内の２Ｋ×Ｎ個のパターンに制限されており、
前記１信号のＭ×Ｎ個のシンボルの各シンボルの位相及び振幅を制御して合波することで、２Ｋ×Ｍ×Ｎ種類のシンボルにより１つのシンボルでＫ×Ｍ×Ｎビットのデータを搬送する第３変調により変調された第３信号を生成する生成手段と、
前記第３信号のシンボルが、前記第３変調により取り得る２Ｋ×Ｍ×Ｎ種類のシンボルの内の所定の２Ｋ×Ｎ個のシンボルのいずれであるかを判定する判定手段と、
を備えていることを特徴とする光復号装置。
【発明の詳細な説明】
【技術分野】
【０００１】
本発明は、ビットエラーの発生を低減する光符号化技術に関する。
【背景技術】
【０００２】
伝送路で発生するビットエラーを低減するために誤り訂正符号化技術が使用されている。従来、誤り訂正符号化処理は、送信データの値を演算処理して冗長ビットを求め、送信データに対して冗長ビットを付加することにより行われ、誤り訂正処理は、受信するデータと冗長ビットを演算処理し、誤りが生じた位置及びその値を求めることにより行われている。つまり、誤り訂正符号化処理と誤り訂正処理は、いずれも、電気レベルで行われている。
【０００３】
これに対して、非特許文献１及び２は、光レベルで誤り訂正処理を行う構成を開示している。
【先行技術文献】
【非特許文献】
【０００４】
【非特許文献１】"Ｉｎｖｅｓｔｉｇａｔｉｏｎ  ｏｆ  ａｌｌ−ｏｐｔｉｃａｌ  ｅｒｒｏｒ  ｄｅｔｅｃｔｉｏｎ  ｃｉｒｃｕｉｔ  ｕｓｉｎｇ  ＳＯＡ−ＭＺＩ−ｂａｓｅｄ  ＸＯＲ  ｇａｔｅｓ  ａｔ  １０  Ｇｂｉｔ／ｓ"
【非特許文献２】"Ｄｅｍｏｎｓｔｒａｔｉｏｎ  ｏｆ  Ａｌｌ−Ｏｐｔｉｃａｌ  Ｄｉｖｉｄｅｒ  Ｃｉｒｃｕｉｔ  Ｕｓｉｎｇ  ＳＯＡ−ＭＺＩ−Ｔｙｐｅ  ＸＯＲ  Ｇａｔｅ  ａｎｄ  Ｆｅｅｄｂａｃｋ  Ｌｏｏｐ  ｆｏｒ  Ｆｏｒｗａｒｄ  Ｅｒｒｏｒ  Ｄｅｔｅｃｔｉｏｎ"
【発明の概要】
【発明が解決しようとする課題】
【０００５】
しかしながら、簡易な構成で誤りに対する耐力を高めることができる光符号化装置及び光復号装置が望まれている。
【０００６】
本発明は、簡易な構成で誤りに対する耐力を高めることができる光符号化装置及び光復号装置を提供するものである。
【課題を解決するための手段】
【０００７】
本発明の一側面によると、２Ｋ種類（Ｋは１以上の整数）のシンボルにより１つのシンボルでＫビットのデータを搬送する第１変調により変調された第１信号を入力とする光符号化装置であって、前記第１信号の１つのシンボルが入力されると、該１つのシンボルと、該１つのシンボルの直前に入力された連続するＮ−１個（Ｎは２以上の整数）のシンボルと、に基づき、前記第１変調により変調されたＭ個（Ｍは２以上の整数）のシンボルを出力する符号化手段と、前記符号化手段が出力する前記第１変調により変調されたＭ個のシンボルの各シンボルの位相及び振幅を制御して合波することで、（２Ｋ×Ｍ）種類のシンボルにより１つのシンボルでＫ×Ｍビットのデータを搬送する第２変調により変調された第２信号を出力する出力手段と、を備えていることを特徴とする。
【発明の効果】
【０００８】
簡易な構成で誤りに対する耐力を高めることができる。
【図面の簡単な説明】
【０００９】
【図１】一実施形態による誤り訂正符号化処理の説明図。
【図２】一実施形態による光符号化装置の構成図。
【図３】一実施形態による光符号化装置が出力するＱＰＳＫ信号の説明図。
【図４】一実施形態による光復号装置の構成図。
【図５】一実施形態による光復号装置での復号処理の説明図。
【発明を実施するための形態】
【００１０】
以下、本発明の例示的な実施形態について図面を参照して説明する。なお、以下の実施形態は例示であり、本発明を実施形態の内容に限定するものではない。また、以下の各図においては、実施形態の説明に必要ではない構成要素については図から省略する。
【００１１】
図１は、所謂、（５，７）８符号化回路を示している。まず、シフトレジスタ５３、５４の初期値は０であるものとし、入力として時間順に値"１"、"０"、"１"が入力されるものとする。まず、最初に値１が入力されると、ＸＯＲ５１には、入力値の"１"と、シフトレジスタ５３及び５４からの値"０"が入力され、よって、ＸＯＲ５１は値"１"を出力する。また、ＸＯＲ５２には、入力値の"１"と、シフトレジスタ５４からの値"０"が入力され、よって、ＸＯＲ５２は値"１"を出力する。したがって、最初に値１が入力されると、符号化回路は値"１１"を出力する。なお、符号化回路は、出力１の後に出力２を出力するものとしている。
【００１２】
続いて、値"０"が入力されると、ＸＯＲ５１には、入力値の"０"と、シフトレジスタ５３からの値"１"と、シフトレジスタ５４からの値"０"が入力され、よって、ＸＯＲ５１は値"１"を出力する。また、ＸＯＲ５２には、入力値の"０"と、シフトレジスタ５４からの値"０"が入力され、よって、ＸＯＲ５２は値"０"を出力する。したがって、２番目に値"０"が入力されると、符号化回路は値"１０"を出力する。続いて、値"１"が入力されると、ＸＯＲ５１には、入力値の"１"と、シフトレジスタ５３からの値"０"と、シフトレジスタ５４からの値"１"が入力され、よって、ＸＯＲ５１は値"０"を出力する。また、ＸＯＲ５２には、入力値の"１"と、シフトレジスタ５４からの値"１"が入力され、よって、ＸＯＲ５２は値"０"を出力する。したがって、３番目に値０が入力されると、符号化回路は値"００"を出力する。
【００１３】
図１に示す符号化回路は、２つのシフトレジスタ５３及び５４を有するため、入力値と、過去２ビットの値、つまり、３ビットの入力信号系列によりその出力が決まる。よって、図１に示す符号化回路が出力するパターンは２３＝８パターンのみとなる。具体的には、"００  ００  ００"、"００  ００  １０"、"００  １１  １０"、"００  １１  ０１"、"１１  １０  １１"、"１１  １０  ００"、"１１  ０１  ０１"、"１１  ０１  １０"のみに限定される。つまり、３ビットの入力に対して６ビットのパターンが出力されるが、６ビットで取りえる６４パターンの内の８パターンのみが出力されることになる。
【００１４】
図２は、本実施形態による光符号化装置の概略的な構成図である。なお、図２において参照符号１で示す機能ブロックは、図１に示す符号化回路を光レベルで実現したものである。具体的には、参照符号１で示す機能ブロックには、ＢＰＳＫ変調された光信号が入力され、光遅延部１３及び１４は、それぞれ、図１のシフトレジスタ５３及び５４に対応し、光信号を１シンボルだけ遅延させて出力する。また、光ＸＯＲ部１１及び１２は、図１のＸＯＲ５１及びＸＯＲ５２に対応し、光ＸＯＲ部１１は、入力シンボルと、その前に入力された２シンボルの計３シンボルのＸＯＲ値を演算して出力し、光ＸＯＲ部１２は、入力シンボルと、その２つ前に入力されたシンボルの計２シンボルのＸＯＲ値を演算して出力する。
【００１５】
図１の符号化回路では、出力１と出力２を時分割で出力していたが、本実施形態による光符号化装置は、出力１の位相をπ／２だけずらして出力２と合波する。ここで、出力１及び出力２は共にＢＰＳＫであり、その一方のπ／２だけずらして合波するため、光合波部の出力、つまり、光符号化装置の出力はＱＰＳＫ信号となる。
【００１６】
例えば、ＢＰＳＫの基準位相を値"０"として、値"１"の位相をπとすると、出力１と出力２が共に値"０"であると、出力されるＱＰＳＫ信号の位相はπ／４となる。図３に、出力１及び出力２の値と、出力されるＱＰＳＫ信号の位相の関係を示す。本実施形態の光符号化装置は、入力されるＢＰＳＫの３シンボルの系列に対して、ＱＰＳＫの３シンボルの系列を出力する。図１を用いて説明した様に、出力のパターンは８パターンであり、具体的には、図３の表から"π／４、π／４、π／４"、"π／４、π／４、７π／４"、"π／４、５π／４、７π／４"、"π／４、５π／４、３π／４"、"５π／４、７π／４、５π／４"、"５π／４、７π／４、π／４"、"５π／４、３π／４、３π／４"、"５π／４、３π／４、７π／４"のみとなる。
【００１７】
ＱＰＳＫの１シンボルは４つの値のいずれかであるため、ＱＰＳＫの３シンボルが取りえるパターンは、４３＝６４パターンであるが、上述した様に本実施形態の光符号化装置は、その内の８パターンのみを出力する。
【００１８】
図４は、本実施形態による光復号装置の概略的な構成図である。図４の参照符号２で示す機能ブロックは、図２に示す光符号化装置が出力するＱＰＳＫ信号の連続する３シンボルを合波して６４ＱＡＭ信号に変換するためのものである。ここで、連続する３シンボルを合波するのは、本実施形態による光符号化装置は、入力シンボルを含む３シンボルに拘束されて２３＝８パターンの系列を出力するからであり、６４ＱＡＭ信号に変換するのは、ＱＰＳＫ信号の３シンボルで表現されるビット数が６ビットであり、２６＝６４個のシンボルが必要だからである。
【００１９】
具体的には、図４の光遅延部２１、２２は入力信号を１シンボルだけ遅延し、光分岐部２３、２４は、入力シンボルを２分岐して出力し、光合波部２５、２６は、入力される２つのシンボルを合波して出力する。なお、光分岐部２３、２４の出力側の数字は、２つの出力信号の出力レベルの比を示している。例えば、光分岐部２３が出力する２つのシンボルのレベルの比は５：２である。なお、この比率は、光合波部２６の出力シンボルが６４ＱＡＭ信号の各信号点に一致する様に決められる。なお、光分岐部は、同じレベルの２つの信号を出力し、光分岐部の下流側に設けた光減衰部によりレベルの調整を行う構成であっても良い。
【００２０】
図４の光オンオフ部２７は、光合波部２６が出力するシンボルの内、必要なシンボルのみを出力し、必要ではないシンボルを阻止するために設けられる。例えば、ＱＰＳＫのシンボルが時間順にＳ１、Ｓ２、Ｓ３、Ｓ４、Ｓ５、Ｓ６、Ｓ７、・・・と入力されたものとする。なお、"Ｓ１、Ｓ２、Ｓ３"が送信側における１つの３シンボル系列に対応し、"Ｓ４、Ｓ５、Ｓ６"がその次の１つの３シンボル系列に対応するものとする。図４の光合波部２６は、順に、"Ｓ１、Ｓ２、Ｓ３"を合波したシンボル、"Ｓ２、Ｓ３、Ｓ４"を合波したシンボル、"Ｓ３、Ｓ４、Ｓ５"を合波したシンボル、"Ｓ４、Ｓ５、Ｓ６"を合波したシンボル、"Ｓ５、Ｓ６、Ｓ７"を合波したシンボルを出力する。ここで、必要なシンボルは、"Ｓ１、Ｓ２、Ｓ３"を合波したシンボルと、"Ｓ４、Ｓ５、Ｓ６"を合波したシンボルのみであり、光オンオフ部２７は、"Ｓ１、Ｓ２、Ｓ３"を合波したシンボルと、"Ｓ４、Ｓ５、Ｓ６"を合波したシンボルを光合波部２７が出力するタイミングでオンとなってこれらシンボルを光検波部に出力し、それ以外のタイミングにおいてはオフとなって光合波部２７が出力するシンボルが光検波部に出力されることを阻止する。なお、光オンオフ部２７の制御は、図示しない制御部が行う。
【００２１】
図５の点線による丸及び黒丸は、複素平面における６４ＱＡＭ信号の各信号点を示している。上述した様に、本実施形態の光符号化装置は、３シンボル単位でみると、８つのパターンのみの出力に制限される。図５の黒丸は、この８つのパターンに対応する信号点であり、点線は、本実施形態の光符号化装置が出力しない信号点である。したがって、例えば、光オンオフ部２７の出力シンボルの信号点に最も近い、６４ＱＡＭ信号の信号点が参照符号３２で示す信号点であったとしても、光復号装置は、実際の信号点は参照符号３１で示す信号点であると判定することができる。
【００２２】
以上、光符号化装置において、信号系列に制限を設ける様に符号化を行う。また、光復号装置では、光符号化装置での制限されたパターン数に基づきシンボルを合波する。光符号化装置において、信号系列に制限が設けられているため、取りえる信号点に制限が生じ、よって、誤って復調する確率、つまり、ビットエラーの発生を低減させることができる。なお、図４の光検波部は、入力される光信号の複素平面上の信号点を検出し、処理部は、光検出部が検出した信号点と、最も近い、取りえる信号点を判定するものである。
【００２３】
＜まとめ＞
なお、上記説明において、光符号化装置の入力は１シンボルで１ビットのデータを搬送するＢＰＳＫ信号であり、連続する３シンボル毎に、６シンボルのＢＰＳＫ信号を出力した後、２シンボルずつ合波して、１シンボルで２ビットのデータを搬送するＱＰＳＫ信号を出力していた。また、光復号装置は、ＱＰＳＫ信号を入力し、送信側における３シンボルのパターンによる符号化に基づきＱＰＳＫ信号の３シンボルを合波し、１シンボルで６ビットのデータを搬送する６４ＱＡＭ信号を出力した上で、６４ＱＡＭ信号の６４種類のシンボルの内、取り得る８つのシンボルのいずれであるかを判定するものであった。しかしながら、本実施形態は、上記具体的な数値に限定されない。
【００２４】
まず、光符号化装置には、２Ｋ種類（Ｋは１以上の整数）のシンボルにより１つのシンボルでＫビットのデータを搬送する第１変調により変調された第１信号を入力するものとする。この場合、符号化部は、第１信号の１つのシンボルが入力されると、該１つのシンボルと、該１つのシンボルの直前に入力された連続するＮ−１個（Ｎは２以上の整数）のシンボルと、に基づき、第１変調により変調されたＭ個（Ｍは２以上の整数）のシンボルを出力する。なお、上記例においては、Ｋ＝１であり、Ｎ＝３であり、Ｍ＝２である。なお、符号化部が第１変調により変調された連続するＮ個のシンボルの入力に対して出力する第１変調により変調されたＭ×Ｎ個のシンボルのパターンは、第１変調のＭ×Ｎ個のシンボルで取り得る２Ｋ×Ｍ×Ｎ個のパターンの内の２Ｋ×Ｎ個のパターンに制限されている。その後、出力部は、符号化部が出力する第１変調により変調されたＭ個のシンボルの各シンボルの位相及び振幅を制御して合波することで、（２Ｋ×Ｍ）種類のシンボルにより１つのシンボルでＫ×Ｍビットのデータを搬送する第２変調により変調された第２信号を出力する。
【００２５】
一方、光復号装置は、（２Ｋ×Ｍ）（Ｋは１以上の整数、かつ、Ｍは２以上の整数）種類のシンボルにより１つのシンボルでＫ×Ｍビットのデータを搬送する第２変調により変調された第２信号を受信する。なお、第２信号は、第２変調の連続するＮ（Ｎは２以上の整数）個のシンボルで取り得る２Ｋ×Ｍ×Ｎ個のパターンの内の２Ｋ×Ｎ個のパターンに制限されている。光受信装置の生成部は、受信する第２信号の連続するＮ個のシンボルの各シンボルの位相及び振幅を制御して合波することで、２Ｋ×Ｍ×Ｎ種類のシンボルにより１つのシンボルでＫ×Ｍ×Ｎビットのデータを搬送する第３変調により変調された第３信号を生成する。そして、判定部は、第３信号のシンボルが、第３変調により取り得る２Ｋ×Ｍ×Ｎ種類のシンボルの内の所定の２Ｋ×Ｎ個のシンボルのいずれであるかを判定する。なお、判定部が判定する第３信号の所定２Ｋ×Ｎ個のシンボルは、２Ｋ×Ｎ個のパターンに制限された第２信号の連続するＮ個のシンボルを生成手段が合波したシンボルである。
【００２６】
上記の通り、光符号化装置は、符号化部と出力部を有するが。出力部の機能を光復号装置側に設けることもできる。つまり、上記実施形態が示す具体例で述べると、光復号装置は、１シンボルのＢＰＳＫ信号が入力される度に、２シンボルのＢＰＳＫ信号を出力し、この２シンボルのＢＰＳＫ信号を時間多重により光復号装置に送信する。そして、光復号装置は、まず、連続する２シンボルのＢＰＳＫ信号を合波してＱＰＳＫ信号を生成し、さらに、連続する３シンボルのＱＰＳＫ信号から６４ＱＡＭ信号を生成する。
【００２７】
また、上記の通り、光復号装置は、生成部と判定部を有するが。生成部の機能を光符号化装置側に設けることもできる。つまり、上記実施形態が示す具体例で述べると、光符号化装置は、ＱＰＳＫ信号を生成した後、さらに、このＱＰＳＫ信号の連続する３シンボルを合波して６４ＱＡＭ信号にし、６４ＱＡＭ信号を光復号装置に送信する。
【図１】
2015186029.tif 000003
【図２】
2015186029.tif 000004
【図３】
2015186029.tif 000005
【図４】
2015186029.tif 000006
【図５】
2015186029.tif 000007